(57)【要約】【課題】中継局を含む無線通信システムにおける中継局のリソース割当方法を提供する。【解決手段】前記方法は、第１の周波数バンドのアクセスリンク及びバックホールリンクのためのリソース割当パターンに対する情報を受信する段階、及び前記第１の周波数バンドの前記リソース割当パターンに基づき、第２の周波数バンドのアクセスリンク及びバックホールリンクのためのリソース割当パターンを設定する段階を含み、前記第１の周波数バンドは、アップリンク周波数バンド及びダウンリンク周波数バンドのうちいずれか一つであり、前記第２の周波数バンドは、前記アップリンク周波数バンド及びダウンリンク周波数バンドのうち残りの一つである。【選択図】図１５
2011529318.tif 000002
【特許請求の範囲】
【請求項１】
中継局を含む無線通信システムにおける中継局のリソース割当方法において、
第１の周波数バンドのアクセスリンク及びバックホールリンクのためのリソース割当パターンに対する情報を受信する段階；及び、
前記第１の周波数バンドの前記リソース割当パターンに基づき、第２の周波数バンドのアクセスリンク及びバックホールリンクのためのリソース割当パターンを設定する段階；
を含み、
前記第１の周波数バンドは、アップリンク周波数バンド及びダウンリンク周波数バンドのうちいずれか一つであり、前記第２の周波数バンドは、前記アップリンク周波数バンド及びダウンリンク周波数バンドのうち残りの一つであるリソース割当方法。
【請求項２】
前記ダウンリンク周波数バンドで１０サブフレームからなるフレーム毎に少なくとも一対のサブフレームがアクセスリンクのためのサブフレームで割り当てられることを特徴とする請求項１に記載のリソース割当方法。
【請求項３】
前記一対のサブフレームは、５サブフレームの間隔からなる二つのサブフレームであることを特徴とする請求項２に記載のリソース割当方法。
【請求項４】
前記第１の周波数バンドのリソース割当パターン及び前記第２の周波数バンドのリソース割当パターンは、１０サブフレームからなるフレーム毎に設定されることを特徴とする請求項１に記載のリソース割当方法。
【請求項５】
前記第１の周波数バンドのリソース割当パターン及び前記第２の周波数バンドのリソース割当パターンは、ＨＡＲＱ（Ｈｙｂｒｉｄ  Ａｕｔｏｍａｔｉｃ  Ｒｅｑｕｅｓｔ  Ｒｅｐｅａｔ）チャネルの最大個数及び一つのフレームを構成するサブフレームの個数の最小公倍数に該当する４０サブフレーム毎に設定されることを特徴とする請求項１に記載のリソース割当方法。
【請求項６】
前記第１の周波数バンドのリソース割当パターン及び前記第２の周波数バンドのリソース割当パターンに基づき、データ送信に対するＡＣＫ／ＮＡＣＫ（Ａｃｋｎｏｗｌｅｄｇｅｍｅｎｔ／Ｎｏｔ−Ａｃｋｎｏｗｌｅｄｇｅｍｅｎｔ）フィードバック時点を再設定する段階をさらに含むことを特徴とする請求項１に記載のリソース割当方法。
【請求項７】
前記ＡＣＫ／ＮＡＣＫフィードバック時点に対する情報を端末に知らせる段階をさらに含むことを特徴とする請求項６に記載のリソース割当方法。
【請求項８】
中継局を含む無線通信システムにおける基地局のリソース割当方法において、
第１の周波数バンドのアクセスリンク及びバックホールリンクのためのリソース割当パターンに対する情報を受信する段階；及び、
前記第１の周波数バンドの前記リソース割当パターンに基づき、第２の周波数バンドのアクセスリンク及びバックホールリンクのためのリソース割当パターンを設定する段階；
を含み、
前記第１の周波数バンドは、アップリンク周波数バンド及びダウンリンク周波数バンドのうちいずれか一つであり、前記第２の周波数バンドは、前記アップリンク周波数バンド及びダウンリンク周波数バンドのうち残りの一つであるリソース割当方法。
【請求項９】
前記第１の周波数バンドのリソース割当パターンに対する情報及び前記第２の周波数バンドのリソース割当パターンに対する情報を前記中継局に送信する段階をさらに含むことを特徴とする請求項８に記載のリソース割当方法。
【請求項１０】
プロセッサ；及び、
前記プロセッサに連結され、無線信号を送受信するＲＦ（Ｒａｄｉｏ  Ｆｒｅｑｕｅｎｃｙ）部；
を含み、
前記プロセッサは、第１の周波数バンドのアクセスリンク及びバックホールリンクのためのリソース割当パターンに対する情報を受信し、前記第１の周波数バンドの前記リソース割当パターンに基づき、第２の周波数バンドのアクセスリンク及びバックホールリンクのためのリソース割当パターンを設定し、前記第１の周波数バンドは、アップリンク周波数バンド及びダウンリンク周波数バンドのうちいずれか一つであり、前記第２の周波数バンドは、前記アップリンク周波数バンド及びダウンリンク周波数バンドのうち残りの一つである中継局。
【発明の詳細な説明】
【技術分野】
【０００１】
本発明は、無線通信に関し、より詳しくは、中継局を含む無線通信システムにおけるバックホールリンク及びアクセスリンクのためのリソース割当方法に関する。
【背景技術】
【０００２】
無線通信システムは、音声やデータなどのような多様な種類の通信サービスを提供するために広範囲に展開されている。一般的に、無線通信システムは、可用な無線リソースを共有して多重ユーザとの通信をサポートすることができる多重接続（ｍｕｌｔｉｐｌｅ  ａｃｃｅｓｓ）システムである。無線リソースの例としては、時間、周波数、コード、送信パワーなどがある。多重接続システムの例としては、ＴＤＭＡ（ｔｉｍｅ  ｄｉｖｉｓｉｏｎ  ｍｕｌｔｉｐｌｅ  ａｃｃｅｓｓ）システム、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。ＴＤＭＡシステムでは時間、ＦＤＭＡシステムでは周波数、ＣＤＭＡシステムではコード、ＯＦＤＭＡシステムでは副搬送波（ｓｕｂｃａｒｒｉｅｒ）及び時間が無線リソースである。また、無線通信システムは、双方向通信をサポートするシステムである。双方向通信は、ＴＤＤ（Ｔｉｍｅ  Ｄｉｖｉｓｉｏｎ  Ｄｕｐｌｅｘ）モード、ＦＤＤ（Ｆｒｅｑｕｅｎｃｙ  Ｄｉｖｉｓｉｏｎ  Ｄｕｐｌｅｘ）モード、Ｈ−ＦＤＤ（Ｈａｌｆ−Ｆｒｅｑｕｅｎｃｙ  Ｄｉｖｉｓｉｏｎ  Ｄｕｐｌｅｘ）モードなどを用いて実行されることができる。ＴＤＤモードは、アップリンク送信とダウンリンク送信を時間リソースにより区分する。ＦＤＤモードは、アップリンク送信とダウンリンク送信を周波数リソースにより区分する。Ｈ−ＦＤＤモードは、アップリンク送信とダウンリンク送信を時間リソースと周波数リソースの組合せにより区分する。
【０００３】
無線通信システムは、所定領域であるセル（Ｃｅｌｌ）にサービスを提供する基地局（Ｂａｓｅ  Ｓｔａｔｉｏｎ；ＢＳ）を含む。無線送信技術の特性上、無線環境の変化に応じて送信信号の品質が影響を受けるようになる。特に、周辺の多様な形態の散乱因子（ｓｃａｔｔｅｒｓ）、端末（Ｍｏｂｉｌｅ  Ｓｔａｔｉｏｎ；ＭＳ）の移動などにより、時間に応じて無線チャネルが変化するようになる。また、無線通信主体間の距離が増加することによって受信電力が急激に減るため、距離に制約を受ける。従って、一般的に、端末は、基地局のカバレッジ（Ｃｏｖｅｒａｇｅ）内にある時、前記基地局と通信することができる。このように、散乱因子、端末の移動速度、送受信間距離などの要因により基地局と端末との間の最大送信速度、セル内のユーザの処理率、及び全体セルの処理率が減るようになる。例えば、端末がセル境界に位置したり、或いは端末と基地局との間にビルディングのような障害物が存在する場合、端末と基地局との間の通信品質は良好でないことがある。
【０００４】
前述した問題点を克服するための努力の一環として、基地局と端末との間に送信信号の劣化を補償することができる多様な技術を導入し、最大送信速度、処理率向上、カバレッジ拡張などの効果を得ることができる。そのうち一つは、無線通信システムに中継局（Ｒｅｌａｙ  Ｓｔａｔｉｏｎ；ＲＳ）を導入することである。例えば、３世帯以後の次世代移動通信システムであるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−Ａｄｖａｎｃｅｄの有力な候補のうち一つであるＬＴＥ（Ｌｏｎｇ  Ｔｅｒｍ  Ｅｖｏｌｕｔｉｏｎ）−Ａｄｖａｎｃｅｄは、重要技術中に中継局技術を含む。中継局は、基地局と端末との間で信号を中継する装置であり、基地局のカバレッジを拡張させ、セル処理率を向上させることができる。
【発明の概要】
【発明が解決しようとする課題】
【０００５】
本発明が解決しようとする技術的課題は、中継局をサポートするフレーム構造を提供することである。特に、基地局と中継局との間のバックホールリンク及び中継局と端末との間のアクセスリンクのために適切にリソースを割り当てる方法を提供することである。
【課題を解決するための手段】
【０００６】
本発明の一態様による中継局を含む無線通信システムにおける中継局のリソース割当方法は、第１の周波数バンドのアクセスリンク及びバックホールリンクのためのリソース割当パターンに対する情報を受信する段階、及び前記第１の周波数バンドの前記リソース割当パターンに基づき、第２の周波数バンドのアクセスリンク及びバックホールリンクのためのリソース割当パターンを設定する段階を含み、前記第１の周波数バンドはアップリンク周波数バンド及びダウンリンク周波数バンドのうちいずれか一つであり、前記第２の周波数バンドは、前記アップリンク周波数バンド及びダウンリンク周波数バンドのうち残りの一つである。
【０００７】
前記ダウンリンク周波数バンドで１０サブフレームからなるフレーム毎に少なくとも一対のサブフレームがアクセスリンクのためのサブフレームで割り当てられる。
【０００８】
前記一対のサブフレームは、５サブフレームの間隔からなる二つのサブフレームる。
【０００９】
前記第１の周波数バンドのリソース割当パターン及び前記第２の周波数バンドのリソース割当パターンは、１０サブフレームからなるフレーム毎に設定される。
【００１０】
前記第１の周波数バンドのリソース割当パターン及び前記第２の周波数バンドのリソース割当パターンは、ＨＡＲＱ（Ｈｙｂｒｉｄ  Ａｕｔｏｍａｔｉｃ  Ｒｅｑｕｅｓｔ  Ｒｅｐｅａｔ）チャネルの最大個数及び一つのフレームを構成するサブフレームの個数の最小公倍数に該当する４０サブフレーム毎に設定される。
【００１１】
前記第１の周波数バンドのリソース割当パターン及び前記第２の周波数バンドのリソース割当パターンに基づき、データ送信に対するＡＣＫ／ＮＡＣＫ（Ａｃｋｎｏｗｌｅｄｇｅｍｅｎｔ／Ｎｏｔ−Ａｃｋｎｏｗｌｅｄｇｅｍｅｎｔ）フィードバック時点を再設定する段階をさらに含む。
【００１２】
前記ＡＣＫ／ＮＡＣＫフィードバック時点に対する情報を端末に知らせる段階をさらに含む。
【００１３】
本発明の一態様による中継局を含む無線通信システムにおける基地局のリソース割当方法は、第１の周波数バンドのアクセスリンク及びバックホールリンクのためのリソース割当パターンに対する情報を受信する段階、及び前記第１の周波数バンドの前記リソース割当パターンに基づき、第２の周波数バンドのアクセスリンク及びバックホールリンクのためのリソース割当パターンを設定する段階を含み、前記第１の周波数バンドは、アップリンク周波数バンド及びダウンリンク周波数バンドのうちいずれか一つであり、前記第２の周波数バンドは、前記アップリンク周波数バンド及びダウンリンク周波数バンドのうち残りの一つである。
【００１４】
前記第１の周波数バンドのリソース割当パターンに対する情報及び前記第２の周波数バンドのリソース割当パターンに対する情報を前記中継局に送信する段階をさらに含む。
【００１５】
本発明の一態様による中継局は、プロセッサ、及び前記プロセッサに連結され、無線信号を送受信するＲＦ（Ｒａｄｉｏ  Ｆｒｅｑｕｅｎｃｙ）部を含み、前記プロセッサは、第１の周波数バンドのアクセスリンク及びバックホールリンクのためのリソース割当パターンに対する情報を受信し、前記第１の周波数バンドの前記リソース割当パターンに基づき、第２の周波数バンドのアクセスリンク及びバックホールリンクのためのリソース割当パターンを設定し、前記第１の周波数バンドは、アップリンク周波数バンド及びダウンリンク周波数バンドのうちいずれか一つであり、前記第２の周波数バンドは、前記アップリンク周波数バンド及びダウンリンク周波数バンドのうち残りの一つである。
【発明の効果】
【００１６】
中継局をサポートするフレーム構造を提供することができる。特に、バックホールリンク及びアクセスリンクのためのリソース割当方法を提供することができる。また、中継局をサポートするフレーム構造に基づき、ＨＡＲＱ（Ｈｙｂｒｉｄ  Ａｕｔｏｍａｔｉｃ  Ｒｅｑｕｅｓｔ  Ｒｅｐｅａｔ）を実行する過程で発生できるＡＣＫ／ＮＡＣＫ送信時点のエラーを減らす方法を提供することができる。
【図面の簡単な説明】
【００１７】
【図１】中継局が導入された無線通信システムを示す図である。
【図２】基地局、中継局、及び端末間のリンク構成を示す。
【図３】中継局の送受信機能を装置の観点で概念的に示す。
【図４】無線フレーム構造の一例を示す。
【図５】ダウンリンクサブフレームの構造を示す。
【図６】中継局の動作の一例を示す。
【図７】中継局の動作の一例を示す。
【図８】本発明の一実施例に係るダウンリンク周波数バンドのフレーム構造を示す。
【図９】本発明の一実施例に係るリソース割当パターンの設定周期を示す。
【図１０】本発明の他の実施例に係るリソース割当パターンの設定周期を示す。
【図１１】本発明の一実施例に係るリソース割当パターンのシグナリング方法である。
【図１２】本発明の他の実施例に係るリソース割当パターンのシグナリング方法である。
【図１３】本発明の一実施例に係るフレーム構造を示す。
【図１４】本発明の一実施例に係るリソース割当パターンを設定する方法を示すシーケンスダイアグラムである。
【図１５】本発明の他の実施例に係るリソース割当パターンを設定する方法を示すシーケンスダイアグラムである。
【図１６】本発明の一実施例に係るリソース割当パターンを設定する方法を用いてＨＡＲＱを実行する一例である。
【図１７】本発明の一実施例に係るリソース割当パターンを設定する方法を用いてＨＡＲＱを実行する他の例である。
【図１８】基準１〜基準６に基づいて割り当てられたリソース割当パターンを示す図である。
【図１９】基準１〜基準６に基づいて割り当てられたリソース割当パターンを示す図である。
【図２０】本発明の他の実施例に係るリソース割当パターンを示す図である。
【図２１】本発明の一実施例に係るリソース割当方法を示すシーケンスダイアグラムである。
【図２２】本発明の他の実施例に係るリソース割当方法を示すシーケンスダイアグラムである。
【図２３】本発明の一実施例に係る中継局を含む無線通信システムを示すブロック図である。
【発明を実施するための形態】
【００１８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）、ＭＣ−ＦＤＭＡ（Ｍｕｌｔｉ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）やＣＤＭＡ２０００のような無線技術（ｒａｄｉｏ  ｔｅｃｈｎｏｌｏｇｙ）により具現されることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術により具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術により具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。
【００１９】
説明を明確にするために、３ＧＰＰ  ＬＴＥ−Ａｄｖａｎｃｅｄを中心に記述するが、本発明の技術的思想はこれに制限されない。３ＧＰＰ  ＬＴＥ−Ａｄｖａｎｃｅｄ（以下、ＬＴＥ−Ａという）は３ＧＰＰ  ＬＴＥ（以下、ＬＴＥという）の進化である。
【００２０】
図１は、中継局が導入された無線通信システムを示す図である。無線通信システムは、音声、パケットデータなどのような多様な通信サービスを提供するために広く配置される。
【００２１】
図１を参照すると、無線通信システムは、端末（Ｍｏｂｉｌｅ  Ｓｔａｔｉｏｎ；ＭＳ）１０、１１、１２、１３、基地局（Ｂａｓｅ  Ｓｔａｔｉｏｎ；ＢＳ）２０、及び中継局（Ｒｅｌａｙ  Ｓｔａｔｉｏｎ；ＲＳ）３０、３１を含む。端末１０、１１、１２、１３は、固定されたり、或いは移動性を有することができ、ＵＥ（Ｕｓｅｒ  Ｅｑｕｉｐｍｅｎｔ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）等、他の用語で呼ばれることができる。基地局２０は、一般的に端末１０、１１、１２、１３と通信する固定局（ｆｉｘｅｄ  ｓｔａｔｉｏｎ）をいい、ノードＢ（Ｎｏｄｅ−Ｂ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。一つの基地局２０には一つ以上のセルが存在できる。中継局３０、３１は、カバレッジの拡張またはダイバーシティ効果による送信速度の向上のためのものであり、端末と基地局との間に位置する。中継局は、中継ノード、リピーター（Ｒｅｐｅａｔｅｒ）、リレイ（Ｒｅｌａｙ）、リレイノード（Ｒｅｌａｙ  Ｎｏｄｅ；ＲＮ）等、他の用語で呼ばれることができる。即ち、基地局２０のカバレッジ内にある端末１０、１１は、基地局２０と直接通信でき、基地局２０のカバレッジ外にある端末１２、１３は、中継局３０、３１を経て基地局２０と通信する。または、基地局２０のカバレッジ内にある端末１０、１１であるとしても、ダイバーシティ効果による送信速度の向上のために中継局３０、３１を経て基地局２０と通信できる。
【００２２】
中継局は、機能に応じて下記表１のように複数の形態に分類されることができる。
【００２３】
【表１】
2011529318.tif 000003
【００２４】
表１で、‘×’は、該当機能をサポートすることを意味し、‘−’は、該当機能をサポートしないことを意味し、‘（×）’は、該当機能をサポートする場合もあり、サポートしない場合もあることを意味する。表１で、Ｌ１中継局、Ｌ２中継局、Ｌ３中継局に分類しているが、これは例示に過ぎない。この分類は、Ｌ１〜Ｌ３中継局の概略的な特徴に応じて分類したことであり、必ず用語と一致することではない。参考的に、表１で、フェムトセルまたはピコセルの機能を共に提示している。フェムトセルまたはピコセルは、表１で例示する全ての機能をサポートすると仮定する。Ｌ１中継局は、ＡＦ（Ａｍｐｌｉｆｙ  ａｎｄ  Ｆｏｒｗａｒｄ）と共に追加機能を有する中継局であり、基地局または端末から受信した信号を増幅した後、端末または基地局に伝達する。Ｌ２中継局は、ＤＦ（Ｄｅｃｏｄｉｎｇ  ａｎｄ  Ｆｏｒｗａｒｄ）と共にスケジューリング（Ｓｃｈｅｄｕｌｉｎｇ）機能を有する中継局であり、基地局または端末から受信した信号を復調（Ｄｅｍｏｄｕｌａｔｉｏｎ）及び復号（Ｄｅｃｏｄｉｎｇ）などの過程を経て情報を復旧した後、再び符号（Ｃｏｄｉｎｇ）及び変調（Ｍｏｄｕｌａｔｉｏｎ）などの過程を経て信号を生成して端末または基地局に伝達する。Ｌ３中継局は、一つのセルと類似の形態を有する中継局であり、Ｌ２中継局が有する機能と共に呼接続、解除及び移動性（Ｍｏｂｉｌｉｔｙ  Ｆｕｎｃｔｉｏｎ）をサポートする。Ｌ３中継局、フェムトセル、及びピコセルは、フレーム構造の一部または全部を変更することができる能力を有する。即ち、中継局セルを制御することができる中継局である。反面、Ｌ１中継局及びＬ２中継局は、フレーム構造の一部または全部を変更することができる能力を有しない。即ち、中継局セルを制御することができない中継局である。従って、Ｌ１中継局及びＬ２中継局は、データのみを中継し、基地局が端末に直接制御チャネルを送信する。本明細書で特別な制限がない限り、中継局は、Ｌ１中継局、Ｌ２中継局、Ｌ３中継局、ピコセル、及びフェムトセルを意味する。
【００２５】
中継局は、無線リソースを用いてデータを送信したり、或いは受信することができる。中継局が用いることができる無線リソースは、時間リソース、周波数リソース、及び空間リソースなどを含む。時間リソースは、サブフレーム（ｓｕｂｆｒａｍｅ）、シンボル（ｓｙｍｂｏｌ）、スロット（ｓｌｏｔ）などで表現され、周波数リソースは、副搬送波（ｓｕｂｃａｒｒｉｅｒ）、リソースブロック（ｒｅｓｏｕｒｃｅ  ｂｌｏｃｋ）、成分搬送波（ｃｏｍｐｏｎｅｎｔ  ｃａｒｒｉｅｒ）などで表現され、空間リソースは、空間多重化（ｓｐａｔｉａｌ  ｍｕｌｔｉｐｌｅｘｉｎｇ）、アンテナ（ａｎｔｅｎｎａ）などで表現される。このような無線リソースは、基地局−中継局間、中継局−端末間に専用されたり、或いは共有されることができる。
【００２６】
図２は、基地局、中継局、及び端末間のリンク構成を示す。
【００２７】
図２を参照すると、基地局と中継局の間のリンクは、バックホールリンク（Ｂａｃｋｈａｕｌ  Ｌｉｎｋ）であり、中継局と端末との間のリンクは、アクセスリンク（Ａｃｃｅｓｓ  Ｌｉｎｋ）である。基地局と中継局の間のバックホールリンクは、ＦＤＤ（Ｆｒｅｑｕｅｎｃｙ  Ｄｉｖｉｓｉｏｎ  Ｄｕｐｌｅｘ）モードまたはＴＤＤ（Ｔｉｍｅ  Ｄｉｖｉｓｉｏｎ  Ｄｕｐｌｅｘ）モードに運用されることができる。同様に、中継局と端末との間のアクセスリンクもＦＤＤモードまたはＴＤＤモードに運用されることができる。ＦＤＤモードは、アップリンクとダウンリンクが周波数リソースにより区別される。ＴＤＤモードは、アップリンクとダウンリンクが時間リソースにより区別される。ＦＤＤモードで、ダウンリンク周波数バンドを用いてバックホールリンクに送信が行われる場合にはバックホールダウンリンク（ｂａｃｋｈａｕｌ  ｄｏｗｎｌｉｎｋ）といい、アップリンク周波数バンドを用いてバックホールリンクに送信が行われる場合にはバックホールアップリンク（ｂａｃｋｈａｕｌ  ｕｐｌｉｎｋ）という。また、ダウンリンク周波数バンドを用いてアクセスリンクに送信が行われる場合にはアクセスダウンリンク（ａｃｃｅｓｓ  ｄｏｗｎｌｉｎｋ）といい、アップリンク周波数バンドを用いてアクセスリンクに送信が行われる場合にはアクセスアップリンクという。ＴＤＤモードで、ダウンリンクサブフレームを用いてバックホールリンクに送信が行われる場合にはバックホールダウンリンクといい、アップリンクサブフレームを用いてバックホールリンクに送信が行われる場合にはバックホールアップリンクという。また、ダウンリンクサブフレームを用いてアクセスリンクに送信が行われる場合にはアクセスダウンリンクといい、アップリンクサブフレームを用いてアクセスリンクに送信が行われる場合にはアクセスアップリンクという。バックホールリンクのために割り当てられた無線リソースをリレイゾーン（Ｒｅｌａｙ  Ｚｏｎｅ）といい、アクセスリンクのために割り当てられた無線リソースをアクセスゾーン（Ａｃｃｅｓｓ  Ｚｏｎｅ）という。
【００２８】
下記表２は、基地局、中継局、及び端末の送受信機能を整理している。
【００２９】
【表２】
2011529318.tif 000004
【００３０】
表２を参照すると、基地局は、ダウンリンクリソースを介して送信し、アップリンクリソースを介して受信することができる。端末は、ダウンリンクリソースを介して受信し、アップリンクリソースを介して送信することができる。反面、中継局は、ダウンリンクリソースを介して送信したり、或いは受信することができ、アップリンクリソースを介して送信したり、或いは受信することができる。
【００３１】
図３は、中継局の送受信機能を装置の観点で概念的に示す。便宜上、本明細書における中継局は、ＦＤＤ（Ｆｒｅｑｕｅｎｃｙ  Ｄｉｖｉｓｉｏｎ  Ｄｕｐｌｅｘ）モードに動作すると仮定する。しかし、これは例示に過ぎず、中継局は、ＴＤＤ（Ｔｉｍｅ  Ｄｉｖｉｓｉｏｎ  Ｄｕｐｌｅｘ）モードまたはＨ−ＦＤＤ（Ｈａｌｆ−ＦＤＤ）モードに動作できる。また、中継局は、ダウンリンク送信にＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式を使用し、アップリンク送信にＤＦＴ−ｓ−ＯＦＤＭＡ（Ｄｉｓｃｒｅｔｅ  Ｆｏｕｒｉｅｒ  Ｔｒａｎｓｆｏｒｍ−Ｓｐｒｅａｄ−ＯＦＤＭＡ）方式を使用すると仮定する。ＤＦＴ−ｓ−ＯＦＤＭＡ方式は、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式に呼ぶことができ、両者は混用される。
【００３２】
図３を参照すると、中継局は、基地局及び端末に信号を受信する二つの受信モジュールを含むことができる。また、中継局は、基地局及び端末から信号を送信する二つの送信モジュールを含むことができる。理解を容易にするために、送信及び信号モジュールは、デュプレクサ及び信号処理モジュールのみを含むと簡略化した。デュプレクサは、機能に応じて単方向と双方向が可能である。単方向デュプレクサの場合、図３で例示した通り、各デュプレクサは、送信モジュール及び受信モジュールのうちいずれか一つとのみ連結される。反面、双方向デュプレクサの場合、各デュプレクサは、送信モジュール及び受信モジュールの両方とも連結されることができる。
【００３３】
一般的に、中継局は、送信及び受信動作を同時に実行することが制限されるため、送信モジュール及び受信モジュールは、相違の時点に信号を処理することができる。反面、中継局は、基地局及び端末から同時に信号を受信したり、或いは基地局及び端末に同時に信号を送信するのが許容される。従って、送信モジュールまたは受信モジュール同士は、同一または類似の時点に並列的に信号を処理するのが可能である。
【００３４】
信号処理過程を説明すると、基地局から受信されたダウンリンク信号は、ＦＦＴ（Ｆａｓｔ  Ｆｏｕｒｉｅｒ  Ｔｒａｎｓｆｏｒｍ）及びＯＦＤＭＡベースバンド受信プロセスによって処理される。同様に、端末に送信するダウンリンク信号は、ＯＦＤＭＡベースバンド送信プロセス及びＩＦＦＴ（Ｉｎｖｅｒｓｅ  Ｆａｓｔ  Ｆｏｕｒｉｅｒ  Ｔｒａｎｓｆｏｒｍ）によって処理される。具体的に、ＯＦＤＭＡベースバンド送信プロセスは、直並列変換モジュール及び副搬送波マッピングモジュールを含むことができる。即ち、ＯＦＤＭＡベースバンド送信プロセスは、高速の直列データシンボルを低速の並列データシンボルに変換した後、副搬送波にマッピングする役割を遂行する。ＯＦＤＭＡベースバンド受信プロセスは、ＯＦＤＭＡベースバンド送信プロセスと反対過程に信号を処理する。
【００３５】
一方、端末から受信されたアップリンク信号は、ＦＦＴ及びＤＦＴ−ｓ−ＯＦＤＭＡベースバンド受信プロセスによって処理される。同様に、基地局に送信するアップリンク信号は、ＤＦＴ−ｓ−ＯＦＤＭＡベースバンド送信プロセス及びＩＦＦＴによって処理される。具体的に、ＤＦＴ−ｓ−ＯＦＤＭＡベースバンド送信プロセスは、直並列変換モジュール、ＤＦＴ（Ｄｉｓｃｒｅｔｅ  Ｆｏｕｒｉｅｒ  Ｔｒａｎｓｆｏｒｍ）モジュール及び副搬送波マッピングモジュールを含むことができる。ＤＦＴ−ｓ−ＯＦＤＭＡベースバンド送信プロセスは、ＯＦＤＭＡベースバンド送信プロセスと異なって、ＩＦＦＴ以前にＤＦＴを用いてデータシンボルを周波数領域に拡散させることによって送信シンボルのＰＡＰＲ（Ｐｅａｋ−ｔｏ−Ａｖｅｒａｇｅ  Ｐｏｗｅｒ  Ｒａｔｉｏ）を下げるのが可能である。ＤＦＴモジュールを経たデータシンボルは、副搬送波に連続的にマッピングされたり、或いは不連続的にマッピングされることができる。ＤＦＴ−ｓ−ＯＦＤＭＡベースバンド受信プロセスは、ＤＦＴ−ｓ−ＯＦＤＭＡベースバンド送信プロセスと反対過程に信号を処理する。
【００３６】
図４は、無線フレーム構造の一例を示す。一般的なＣＰ（ｎｏｒｍａｌ  ｃｙｃｌｉｃ  ｐｒｅｆｉｘ）を使用する無線フレームである。
【００３７】
図４を参照すると、無線フレーム（ｒａｄｉｏ  ｆｒａｍｅ）は、１０個のサブフレーム（ｓｕｂｆｒａｍｅ）で構成され、一つのサブフレームには２個のスロット（ｓｌｏｔ）が含まれることができる。一つのスロットは、時間領域で複数のＯＦＤＭシンボルまたはＳＣ−ＦＤＭＡシンボルを含むことができる。一つのスロットに含まれるＯＦＤＭシンボルまたはＳＣ−ＦＤＭＡシンボルの数は、ＣＰ構造に応じて多様に決定されることができる。一般的なＣＰの大きさを使用する無線フレームで、一つのスロットには７ＯＦＤＭシンボルまたはＳＣ−ＦＤＭＡシンボルが含まれることができる。１０ｍｓ無線フレームでＯＦＤＭシンボルまたはＳＣ−ＦＤＭＡシンボルが２０４８Ｔｓの時、一般的なＣＰの大きさは１４４Ｔｓである（Ｔｓ＝１／（１５０００＊２０４８）ｓｅｃ）。
【００３８】
ダウンリンク無線フレームの場合、Ｐ−ＳＣＨ（Ｐｒｉｍａｒｙ  Ｓｙｎｃｈｒｏｎｉｚａｔｉｏｎ  Ｃｈａｎｎｅｌ）は、０番目のスロットと１０番目のスロットの最後のＯＦＤＭシンボルに位置する。２個のＰ−ＳＣＨを介して同一ＰＳＳ（Ｐｒｉｍａｒｙ  Ｓｙｎｃｈｒｏｎｉｚａｔｉｏｎ  Ｓｉｇｎａｌ）が送信される。Ｐ−ＳＣＨは、ＯＦＤＭシンボル同期、スロット同期などの時間領域（ｔｉｍｅ  ｄｏｍａｉｎ）同期及び／または周波数領域同期を得るために使われる。ＰＳＳとしてＺＣ（Ｚａｄｏｆｆ−Ｃｈｕ）シーケンスが使われることができ、無線通信システムには少なくとも一つのＰＳＳがある。
【００３９】
Ｓ−ＳＣＨ（Ｓｅｃｏｎｄａｒｙ  Ｓｙｎｃｈｒｏｎｉｚａｔｉｏｎ  Ｃｈａｎｎｅｌ）は、０番目のスロットと１０番目のスロットの最後のＯＦＤＭシンボルの直前のＯＦＤＭシンボルに位置する。Ｓ−ＳＣＨとＰ−ＳＣＨは、隣接する（ｃｏｎｔｉｇｕｏｕｓ）ＯＦＤＭシンボルに位置することがある。２個のＳ−ＳＣＨを介して相違のＳＳＳ（Ｓｅｃｏｎｄａｒｙ  Ｓｙｎｃｈｒｏｎｉｚａｔｉｏｎ  Ｓｉｇｎａｌ）が送信される。Ｓ−ＳＣＨは、フレーム同期及び／またはセルのＣＰ構成、即ち、一般的なＣＰまたは拡張ＣＰ（ｅｘｔｅｎｄｅｄ  ＣＰ）の使用情報を得るために使われる。一つのＳ−ＳＣＨは、２個のＳＳＳを使用する。ＳＳＳとしてｍ−シーケンスが使われることができる。即ち、一つのＳ−ＳＣＨには２個のｍ−シーケンスが含まれる。例えば、一つのＳ−ＳＣＨが６３副搬送波を含むとする時、長さ３１である２個のｍ−シーケンスが一つのＳ−ＳＣＨにマッピングされる。
【００４０】
Ｐ−ＳＣＨ及びＳ−ＳＣＨは、物理階層セルＩＤ（ｐｈｙｓｉｃａｌ−ｌａｙｅｒ  ｃｅｌｌ  ｉｄｅｎｔｉｔｉｅｓ）を得るために使われる。物理階層セルＩＤは、１６８個の物理階層セルＩＤグループ及びこれに属する３個の物理階層ＩＤで表現されることができる。即ち、全体物理階層セルＩＤは、５０４個であり、０〜１６７の範囲を有する物理階層セルＩＤグループ及び各物理階層セルＩＤグループに含まれる０〜２の範囲を有する物理階層ＩＤで表現される。Ｐ−ＳＣＨには物理階層ＩＤを示す３個のＺＣシーケンスルートインデックス（ｒｏｏｔ  ｉｎｄｅｘ）が使われ、Ｓ−ＳＣＨには、物理階層セルＩＤグループを示す１６８個のｍ−シーケンスインデックスが使われることができる。
【００４１】
Ｐ−ＢＣＨ（Ｐｈｙｓｉｃａｌ−Ｂｒｏａｄｃａｓｔ  Ｃｈａｎｎｅｌ）は、無線フレームで０番目のサブフレームに位置する。Ｐ−ＢＣＨは、０番目のサブフレームの３番目のＯＦＤＭシンボル（０番目のＯＦＤＭシンボルから始まる）から始まってＰ−ＳＣＨ及びＳ−ＳＣＨを除いた４個のＯＦＤＭシンボルを占める。Ｐ−ＢＣＨは、該当基地局の基本的なシステム構成（ｓｙｓｔｅｍ  ｃｏｎｆｉｇｕｒａｔｉｏｎ）情報を得るために使われる。Ｐ−ＢＣＨは、４０ｍｓの周期を有することができる。
【００４２】
図４の無線フレーム構造は、例示に過ぎず、前記無線フレームに含まれるサブフレームの数またはサブフレームに含まれるスロットの数は多様に変更されることができる。
【００４３】
図５は、ダウンリンクサブフレームの構造を示す。サブフレームは、時間領域で２個のスロットを含む。サブフレーム内の１番目のスロットの前方部の最大３ＯＦＤＭシンボルは、制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。
【００４４】
３ＧＰＰ  ＬＴＥで使われるダウンリンク制御チャネルは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。サブフレームの１番目のＯＦＤＭシンボルから送信されるＰＣＦＩＣＨは、サブフレーム内で制御チャネルの送信に使われるＯＦＤＭシンボルの数（即ち、制御領域の大きさ）に関する情報を運ぶ。ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ；ＤＣＩ）という。ＤＣＩは、アップリンクリソース割当情報、ダウンリンクリソース割当情報、及び任意のＵＥグループに対するアップリンク送信パワー制御命令などを示す。ＰＨＩＣＨは、アップリンクＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。即ち、端末が送信したアップリンクデータに対するＡＣＫ／ＮＡＣＫ信号は、ＰＨＩＣＨ上に送信される。
【００４５】
図６及び図７は、中継局の動作の一例を示す。以下、特別に言及しない限り、中継局に連結された端末を簡単に端末という。図６は、ダウンリンク周波数バンド（ｆＤ）を使用するダウンリンク送信の一例であり、図７は、アップリンク周波数バンド（ｆＵ）を使用するアップリンク送信の一例である。ダウンリンク周波数バンド（ｆＤ）とアップリンク周波数バンド（ｆＵ）は、相違の周波数バンドであると仮定する。
【００４６】
図６を参照すると、中継局が基地局からバックホールリンクを介して信号を受信する時、中継局は端末にアクセスリンクを介して信号を送信することができない。また、中継局が端末にアクセスリンクを介して信号を送信する時、中継局は基地局からバックホールリンクを介して信号を受信することができない。
【００４７】
図７を参照すると、中継局が端末からアクセスリンクを介して信号を受信する時、中継局は基地局にバックホールリンクを介して信号を送信することができない。中継局が基地局にバックホールリンクを介して信号を送信する時、中継局は端末からアクセスリンクを介して信号を受信することができない。
【００４８】
図６及び図７のように、中継局は、同一周波数バンドを使用して信号の送信及び受信を同時にすることができない。従って、ダウンリンク周波数バンド及びアップリンク周波数バンド別に中継局のフレーム構造を定義する必要がある。特に、バックホールリンク及びアクセスリンクのためのリソースを割り当てる必要がある。
【００４９】
以下、本発明の一実施例によって、ダウンリンク周波数バンド及びアップリンク周波数バンド内でバックホールリンク及びアクセスリンクのためのリソースを割り当てるための基準を提示する。
【００５０】
（基準１）
ダウンリンク周波数バンド及びアップリンク周波数バンドの各々におけるバックホールリンクとアクセスリンクは、ＴＤＭ（Ｔｉｍｅ  Ｄｉｖｉｓｉｏｎ  Ｍｕｌｉｐｌｅｘｉｎｇ）方式にしたがう。この時、バックホールリンクとアクセスリンクは、１サブフレームまたはサブフレームの倍数単位に割り当てられることができる。例えば、１サブフレームは、１ｍｓである。
【００５１】
（基準２）
ダウンリンク周波数バンドで、一つのフレーム内の少なくとも一対のサブフレームは、必ずアクセスリンクのために割り当てられる。一例として、一対のサブフレームは、ｋ番目のサブフレームとｋ＋５番目のサブフレームを含むことができる。
【００５２】
（基準３）
バックホールリンク及びアクセスリンクのためのリソース割当パターンは、所定の周期毎に設定される。
【００５３】
（基準４）
バックホールリンク及びアクセスリンクのためのリソース割当パターンは、基地局によって設定され、各々の中継局にシグナリングされる。
【００５４】
（基準５）
フレーム内でバックホールリンクからアクセスリンクに転換されたり、或いはアクセスリンクからバックホールリンクに転換される時、一部領域は、ＴＴＧ／ＲＴＧのためのアイドル（Ｉｄｌｅ）タイムに設定されることができる。
【００５５】
（基準６）
まず、基地局がダウンリンク周波数バンド及びアップリンク周波数バンドのうちいずれか一つの周波数バンドに対するリソース割当パターンを設定した後、これに基づいて残りの一つの周波数バンドに対するリソース割当パターンが設定される。
【００５６】
以下、基準２〜基準６に応じてバックホールリンク及びアクセスリンクのためのリソース割当パターンを設定する方法を図８〜図１５を参照して具体的に例示する。
【００５７】
図８は、本発明の一実施例に係るダウンリンク周波数バンドのフレーム構造を示す（基準２）。
【００５８】
図８を参照すると、フレームは、１０個のサブフレームで構成されている。フレームを構成するサブフレームのうちサブフレーム＃０とサブフレーム＃５は、一対になることができる。同様に、（サブフレーム＃１とサブフレーム＃６）、（サブフレーム＃２とサブフレーム＃７）、（サブフレーム＃３とサブフレーム＃８）、（サブフレーム＃４とサブフレーム＃９）は、各々、対になる。このうち、少なくとも一対のサブフレームは、必ずアクセスリンクのためのサブフレームで割り当てられなければならない。これは、中継局のカバレッジに属する端末に制御信号を送信するためである。制御信号の例は、同期信号、放送信号、ページング信号などがある。例えば、ＦＤＤフレームで、サブフレーム＃０及びサブフレーム＃５は、同期信号及び／または放送信号が送信されるサブフレームであり、サブフレーム＃０、サブフレーム＃４、サブフレーム＃５、及びサブフレーム＃９は、ページング信号が送信されるサブフレームである。従って、（サブフレーム＃０とサブフレーム＃５）及び（サブフレーム＃４とサブフレーム＃９）は、アクセスリンクのために割り当てられることができる。同様に、ＴＤＤフレームで、サブフレーム＃０及びサブフレーム＃５は、同期信号及び／または放送信号が送信されるサブフレームであり、サブフレーム＃０、サブフレーム＃１、サブフレーム＃５、及びサブフレーム＃６は、ページング信号が送信されるサブフレームである。従って、（サブフレーム＃０とサブフレーム＃５）及び（サブフレーム＃１とサブフレーム＃６）は、アクセスリンクのために割り当てられることができる。これによって、ＦＤＤフレームで、サブフレーム＃０、サブフレーム＃４、サブフレーム＃５、及びサブフレーム＃９は、必ずアクセスリンクのために割り当て、バックホールリンクのために割り当てることができず、ＴＤＤフレームで、サブフレーム＃０、サブフレーム＃１、サブフレーム＃５、及びサブフレーム＃６は、必ずアクセスリンクのために割り当て、バックホールリンクのために割り当てることができない。
【００５９】
図９は、本発明の一実施例に係るリソース割当パターンの設定周期を示す（基準３）。
【００６０】
図９を参照すると、リソース割当パターンは、一つのフレーム（１０ｍｓ）を周期に設定されることができる。この時、一つのフレームは、１０サブフレームからなるため、リソース割当パターンは、１０ビットで表現されることができる。または、同期信号、放送信号、及びページング信号が送信されるべき４個のサブフレームを除いた６ビットで表現されることができる。即ち、図９で例示するように、サブフレーム＃０、サブフレーム＃４、サブフレーム＃５、及びサブフレーム＃９は、同期信号、放送信号、及びページング信号が送信されるサブフレームに設定され、サブフレーム＃１、サブフレーム＃２、及びサブフレーム＃８は、バックホールリンクのために割り当てられ、サブフレーム＃３、サブフレーム＃６、及びサブフレーム＃７は、アクセスリンクのために割り当てられる場合、リソース割当パターンは“００１１１０”のように表現されることができる。ここで、“０”と“１”の解析は反対にされることができる。
【００６１】
図１０は、本発明の他の実施例に係るリソース割当パターンの設定周期を示す（基準３）。
【００６２】
図１０を参照すると、リソース割当パターンは、ＨＡＲＱ（Ｈｙｂｒｉｄ  Ａｕｔｏｍａｔｉｃ  Ｒｅｑｕｅｓｔ  Ｒｅｐｅａｔ）チャネル個数及び一つのフレームに含まれるサブフレームの個数の最小公倍数を周期に設定されることができる。即ち、ＬＴＥ標準によると、ＨＡＲＱ実行過程において、データの初期送信から再送信時点までかかる時間は８ｍｓであるため、ＨＡＲＱチャネル個数は８個となる。従って、８と１０の最小公倍数である４０ｍｓ単位にリソース割当パターンが設定されることができる。この時、リソース割当パターンは、４０ビットで表現されることができる。または、同期信号、放送信号、及びページング信号が送信されるべきサブフレームを除いた２４ビットで表現されることができる。
【００６３】
図１１は、本発明の一実施例に係るリソース割当パターンのシグナリング方法である（基準４）。一つの基地局に対して複数個の中継局が存在すると仮定する。
【００６４】
図１１を参照すると、基地局は、各々の中継局別にバックホールリンク及びアクセスリンクのためのリソース割当パターンを設定する（Ｓ１００）。基地局は、第１の中継局のために設定されたリソース割当パターンに対する情報を第１の中継局に送信し（Ｓ１１０）、第２の中継局のために設定されたリソース割当パターンに対する情報を第２の中継局に送信する（Ｓ１２０）。この時、基地局は、ＰＤＳＣＨを介してリソース割当パターンに対する情報を各々の中継局にユニキャストすることができる。
【００６５】
図１２は、本発明の他の実施例に係るリソース割当パターンのシグナリング方法である（基準４）。一つの基地局に対して複数個の中継局が存在すると仮定する。
【００６６】
図１２を参照すると、基地局は、全ての中継局に対して一様にバックホールリンク及びアクセスリンクのためのリソース割当パターンを設定する（Ｓ２００）。基地局は、段階Ｓ２００で設定されたリソース割当パターンに対する情報を全ての中継局にブロードキャストする（Ｓ２１０）。この時、基地局は、ＢＣＨを介してリソース割当パターンに対する情報を中継局にブロードキャストすることができる。それだけでなく、基地局は、同一なリソース割当パターンに対する情報を各々の中継局に対してユニキャストすることもできる。
【００６７】
図１１及び図１２で、基地局と中継局は、予め決定されたリソース割当パターンに対する表を共有し、基地局が中継局に特定パターンに対するインデックスをシグナリングすることもできる。
【００６８】
図１３は、本発明の一実施例に係るフレーム構造を示す（基準５）。
【００６９】
図１３を参照すると、バックホールリンクからアクセスリンクに転換されたり、或いはアクセスリンクからバックホールリンクに転換される時、転換が行われる直前の一部領域は、アイドルタイムに設定する。例えば、アイドルタイムは、１ＯＦＤＭＡシンボルである。アクセスリンクからバックホールリンクに転換されるサブフレーム＃１とサブフレーム＃６、バックホールリンクからアクセスリンクに転換されるサブフレーム＃３、及びサブフレーム＃９は、アイドルタイムを含むサブフレームであり、このようなサブフレームは、非正規（ｉｒｒｅｇｕｌａｒ）サブフレームということができる。
【００７０】
図１４は、本発明の一実施例に係るリソース割当パターンを設定する方法を示すシーケンスダイアグラムである（基準６）。
【００７１】
図１４を参照すると、基地局は、ダウンリンク周波数バンドに対してバックホールリンク及びアクセスリンクのためのリソース割当パターンを設定する（Ｓ３００）。段階Ｓ３００で設定されたダウンリンク周波数バンドのリソース割当パターンに基づき、基地局は、アップリンク周波数バンドに対してバックホールリンク及びアクセスリンクのためのリソース割当パターンを設定する（Ｓ３１０）。段階Ｓ３００及び段階Ｓ３１０で設定されたダウンリンク周波数バンドのリソース割当パターン及びアップリンク周波数バンドのリソース割当パターンを中継局に送信する（Ｓ３３０）。
【００７２】
図１５は、本発明の他の実施例に係るリソース割当パターンを設定する方法を示すシーケンスダイアグラムである。
【００７３】
図１５を参照すると、基地局は、ダウンリンク周波数バンドに対してバックホールリンク及びアクセスリンクのためのリソース割当パターンを設定する（Ｓ４００）。段階Ｓ４００で設定されたダウンリンク周波数バンドのリソース割当パターンを中継局に送信する（Ｓ４１０）。中継局は、段階Ｓ４１０で受信したダウンリンク周波数バンドのリソース割当パターンに基づき、アップリンク周波数バンドのリソース割当パターンを設定する（Ｓ４２０）。
【００７４】
図１４及び図１５は、まず、ダウンリンク周波数バンドのリソース割当パターンを設定した後、これに基づいてアップリンク周波数バンドのリソース割当パターンを設定すると例示している。しかし、これは例示に過ぎず、まず、アップリンク周波数バンドのリソース割当パターンを設定した後、これに基づいてダウンリンク周波数バンドのリソース割当パターンを設定するのも可能である。
【００７５】
図１６は、本発明の一実施例に係るリソース割当パターンを設定する方法を用いてＨＡＲＱを実行する一例である。ＨＡＲＱ実行において、送信機（Ｔｘ）は、サブフレームを介してデータを送信し、受信機（Ｒｘ）から前記サブフレームに対するＡＣＫ／ＮＡＣＫ（Ａｃｋｎｏｗｌｅｄｇｅｍｅｎｔ／Ｎｏｔ−Ａｃｋｎｏｗｌｅｄｇｅｍｅｎｔ）をフィードバックを受けた後、データを再送信（ｒｅｔｒａｎｓｍｉｓｓｉｏｎ）する。送信機のデータ送信からデータ再送信の直前までの時間をＲＲＴ（ｒｏｕｎｄ  ｔｒｉｐ  ｔｉｍｅ）という。ＬＴＥスペックによると、送信機がデータを送信した時点から４サブフレーム後に受信機がＡＣＫ／ＮＡＣＫをフィードバックする。
【００７６】
図１６を参照すると、ダウンリンク周波数バンドのサブフレーム＃ｋは、アクセスリンクのためのサブフレームに設定される。従って、中継局は、ダウンリンク周波数バンドのサブフレーム＃ｋを介して端末にダウンリンクデータを送信することができる。中継局からダウンリンクデータを受信した端末は、前記ダウンリンクデータの送信時点から一定時点が経過した後に前記ダウンリンクデータに対するＡＣＫ／ＮＡＣＫをフィードバックする。一例として、端末は、ダウンリンクデータの送信時点から４サブフレーム後にＡＣＫ／ＮＡＣＫをフィードバックする。従って、アップリンク周波数バンドのサブフレーム＃ｋ＋４は、アクセスリンクのためのサブフレームに設定され、端末は、アップリンク周波数バンドのサブフレーム＃ｋ＋４を介して中継局にＡＣＫ／ＮＡＣＫをフィードバックする。
【００７７】
図１７は、本発明の一実施例に係るリソース割当パターンを設定する方法を用いてＨＡＲＱを実行する他の例である。
【００７８】
図１７を参照すると、アップリンク周波数バンドのサブフレーム＃ｋは、アクセスリンクのためのサブフレームに設定される。従って、端末は、アップリンク周波数バンドのサブフレーム＃ｋを介して中継局にアップリンクデータを送信することができる。端末からアップリンクデータを受信した中継局は、前記アップリンクデータの送信時点から一定時点（例えば、４サブフレーム）が経過した後に前記アップリンクデータに対するＡＣＫ／ＮＡＣＫをＰＨＩＣＨを介してフィードバックする。従って、ダウンリンク周波数バンドのサブフレーム＃ｋ＋４は、アクセスリンクのためのサブフレームに設定され、中継局は、ダウンリンク周波数バンドのサブフレーム＃ｋ＋４を介して端末にＡＣＫ／ＮＡＣＫをフィードバックする。
【００７９】
図１６及び図１７のように、ＨＡＲＱ実行を考慮すると、ダウンリンク周波数バンドのｋ番目のサブフレームがアクセスリンクのためのサブフレームに設定されると、アップリンク周波数バンドのｋ＋ｎ番目のサブフレーム（例えば、ｋ＋４番目のサブフレーム）もアクセスリンクのためのサブフレームに設定される。または、アップリンク周波数バンドのｋ番目のサブフレームがアクセスリンクのためのサブフレームに設定されると、ダウンリンク周波数バンドのｋ＋ｎ番目のサブフレームもアクセスリンクのためのサブフレームに設定される。同様に、ダウンリンク周波数バンドのｋ番目のサブフレームがバックホールリンクのためのサブフレームに設定されると、アップリンク周波数バンドのｋ＋ｎ番目のサブフレーム（例えば、ｋ＋４番目のサブフレーム）もバックホールリンクのためのサブフレームに設定される。または、アップリンク周波数バンドのｋ番目のサブフレームがバックホールリンクのためのサブフレームに設定されると、ダウンリンク周波数バンドのｋ＋ｎ番目のサブフレームもバックホールリンクのためのサブフレームに設定される。
【００８０】
以下、基準１〜基準６に基づいてリソース割当パターンを設定する場合に発生できる問題点及びこれを解決するための方案を説明する。
【００８１】
まず、一つのフレーム（１０ｍｓ）を周期にバックホールリンクとアクセスリンクのためのリソース割当パターンを設定する場合、少なくとも一回以上基準６を満たすことができない場合が発生する。
【００８２】
図１８及び図１９は、基準１〜基準６に基づいて割り当てられたリソース割当パターンを示す図である。
【００８３】
図１８を参照すると、まず、ダウンリンク周波数バンドのリソース割当パターンが設定された後、これに基づいてアップリンク周波数バンドのリソース割当パターンが設定される。ここで、ダウンリンク周波数バンドのアクセスリンクのためのサブフレームを介して中継局が端末にダウンリンクデータを送信すると、各々の端末は、ダウンリンクデータ送信時点から４サブフレーム後にアップリンク周波数バンドのアクセスリンクのためのサブフレームを介して中継局にＡＣＫ／ＮＡＣＫをフィードバックすることができる。同様に、ダウンリンク周波数バンドのバックホールリンクのためのサブフレームを介して中継局が基地局からダウンリンクデータを受信すると、中継局は、前記ダウンリンクデータ送信時点から４サブフレーム後にアップリンク周波数バンドのバックホールリンクのためのサブフレームを介して基地局にＡＣＫ／ＮＡＣＫをフィードバックすることができる。
【００８４】
ただし、図１８のように、ダウンリンク周波数バンドのリソース割当パターンに基づいてアップリンク周波数バンドのリソース割当パターンを設定した場合、一部サブフレームでエラーが発生できる。例えば、アップリンク周波数バンドのサブフレーム＃０は、ダウンリンク周波数バンドとの関係に基づいてアクセスリンクのためのサブフレームに設定されている。アップリンク周波数バンドのサブフレーム＃０を介して端末が中継局にアップリンクデータを送信する場合、ダウンリンク周波数バンドのサブフレーム＃４を介して中継局は端末にＡＣＫ／ＮＡＣＫをフィードバックしなければならない。しかし、ダウンリンク周波数バンドのサブフレーム＃４は、バックホールリンクのためのサブフレームに設定されているため、規定された時間に、中継局は、端末にＡＣＫ／ＮＡＣＫをフィードバックすることができなくなる。
【００８５】
このようなエラーは、反対の場合にも発生できる。図１９を参照すると、まず、アップリンク周波数バンドのリソース割当パターンが設定された後、これに基づいてダウンリンク周波数バンドのリソース割当パターンが設定される。ここで、アップリンク周波数バンドのアクセスリンクのためのサブフレームを介して端末が中継局にアップリンクデータを送信すると、中継局は、アップリンクデータ送信時点から４サブフレーム後にダウンリンク周波数バンドのアクセスリンクのためのサブフレームを介して端末にＡＣＫ／ＮＡＣＫをフィードバックすることができる。同様に、アップリンク周波数バンドのバックホールリンクのためのサブフレームを介して中継局が基地局にアップリンクデータを送信すると、基地局は、前記アップリンクデータ送信時点から４サブフレーム後にダウンリンク周波数バンドのバックホールリンクのためのサブフレームを介して中継局にＡＣＫ／ＮＡＣＫをフィードバックすることができる。
【００８６】
ただし、図１９のようにアップリンク周波数バンドのリソース割当パターンに基づいてダウンリンク周波数バンドのリソース割当パターンを設定した場合、一部サブフレームでエラーが発生できる。例えば、ダウンリンク周波数バンドのサブフレーム＃０は、アップリンク周波数バンドとの関係に基づいてアクセスリンクのためのサブフレームに設定されている。ダウンリンク周波数バンドのサブフレーム＃０を介して中継局が端末にダウンリンクデータを送信する場合、アップリンク周波数バンドのサブフレーム＃４を介して端末は中継局にＡＣＫ／ＮＡＣＫをフィードバックしなければならない。しかし、アップリンク周波数バンドのサブフレーム＃４は、バックホールリンクのためのサブフレームに設定されているため、規定された時間に、端末は、中継局にＡＣＫ／ＮＡＣＫをフィードバックすることができなくなる。他の例として、ダウンリンク周波数バンドのサブフレーム＃２は、アップリンク周波数バンドとの関係に基づいてバックホールリンクのためのサブフレームに設定されている。ダウンリンク周波数バンドのサブフレーム＃２を介して基地局が中継局にダウンリンクデータを送信する場合、アップリンク周波数バンドのサブフレーム＃６を介して中継局は基地局にＡＣＫ／ＮＡＣＫをフィードバックしなければならない。しかし、アップリンク周波数バンドのサブフレーム＃６は、アクセスリンクのためのサブフレームに設定されているため、規定された時間に、中継局は、基地局にＡＣＫ／ＮＡＣＫをフィードバックすることができなくなる。
【００８７】
次に、ＨＡＲＱチャネルの個数と一つのフレーム内のサブフレームの個数の最小公倍数（４０ｍｓ）を周期にバックホールリンクとアクセスリンクのためのリソース割当パターンを設定する場合にもエラーが発生できる。
【００８８】
図２０は、本発明の他の実施例に係るリソース割当パターンを示す図である。
【００８９】
図２０を参照すると、リソース割当パターンは、４０ｍｓを周期に設定され、ダウンリンク周波数バンドまたはアップリンク周波数バンドのうちいずれか一つの周波数バンドのリソース割当パターンを設定し、これに基づいて残りの周波数バンドのリソース割当パターンを設定する。ここで、リソース割当パターンの周期が４０ｍｓであり、８チャネルのＨＡＲＱ動作を考慮しているため、図１８及び図１９のようなエラーが発生する確率は、相対的に低い。しかし、基準２のように、ダウンリンク周波数バンドで５サブフレーム間隔からなる少なくとも一対のサブフレームが必ずアクセスリンクのためのサブフレームに設定されなければならないため、エラーが発生できる。例えば、ダウンリンク周波数バンドのサブフレーム＃０とサブフレーム＃５は、同期信号の送信のために必ずアクセスリンクに設定されなければならない。従って、これに対応するアップリンク周波数バンドのリソース割当パターンにエラーが発生できる。
【００９０】
以下、このような問題を解決するための方法を提示する。
【００９１】
図２１は、本発明の一実施例に係るリソース割当方法を示すシーケンスダイアグラムである。中継局と端末との間のアクセスリンクでＨＡＲＱ動作を例示しているが、これは基地局と中継局との間のバックホールリンクでＨＡＲＱ動作にも適用できる。
【００９２】
図２１を参照すると、基地局は、ダウンリンク周波数バンドのリソース割当パターンを設定する（Ｓ５００）。基地局は、段階Ｓ５００で設定されたダウンリンク周波数バンドのリソース割当パターンに対する情報を中継局に送信する（Ｓ５１０）。中継局は、段階Ｓ５１０で受信したダウンリンク周波数バンドのリソース割当パターンに対する情報に基づいてアップリンク周波数バンドのリソース割当パターンを設定する（Ｓ５２０）。ダウンリンク周波数バンドのリソース割当パターン及びアップリンク周波数バンドのリソース割当パターンに基づき、中継局は、ＨＡＲＱタイミングを再設定する（Ｓ５３０）。ここで、ＨＡＲＱタイミングとは、データの初期送信時点からＡＣＫ／ＮＡＣＫをフィードバックする時点までの期間を意味する。中継局が端末からデータを受信すると（Ｓ５４０）、段階Ｓ５３０で設定したＨＡＲＱタイミングに合わせて端末にＡＣＫ／ＮＡＣＫをフィードバックする（Ｓ５５０）。
【００９３】
例えば、図１８で、端末がアップリンク周波数バンドのサブフレーム＃０で中継局にアップリンクデータを送信した場合、中継局は、ダウンリンク周波数バンドのサブフレーム＃４で端末にＡＣＫ／ＮＡＣＫフィードバックをすることができない。ダウンリンク周波数バンドのサブフレーム＃４は、バックホールリンクのためのサブフレームに設定されているためである。この時、中継局は、段階Ｓ５３０のように再設定されたＨＡＲＱタイミングを用いて予め定義された時点より１サブフレーム遅延された時点にＰＨＩＣＨを介してＡＣＫ／ＮＡＣＫをフィードバックすることができる。図１８によると、アップリンク周波数バンドのサブフレーム＃１で端末から中継局に送信されたデータに対するＡＣＫ／ＮＡＣＫがダウンリンク周波数バンドのサブフレーム＃５で送信されるように設定されている。このような場合、ダウンリンク周波数バンドのサブフレーム＃５では、アップリンク周波数バンドのサブフレーム＃０で送信されたデータに対するＡＣＫ／ＮＡＣＫ及びアップリンク周波数バンドのサブフレーム＃１で送信されたデータに対するＡＣＫ／ＮＡＣＫが、時間、周波数、及びコードのうち少なくとも一つで多重化されて送信されることができる。
【００９４】
ここで、中継局は、アップリンク周波数バンドのリソース割当パターン、ダウンリンク周波数バンドのリソース割当パターン、及び再設定されたＨＡＲＱタイミングに対する情報などを端末に知らせることもできる。これによって、端末は、ＡＣＫ／ＮＡＣＫの受信時点が分かる。
【００９５】
図２２は、本発明の他の実施例に係るリソース割当方法を示すシーケンスダイアグラムである。本実施例は、中継局と端末との間のアクセスリンクでＨＡＲＱ動作を例示しているが、これは基地局と端末との間のバックホールリンクでＨＡＲＱ動作にも適用することができる。
【００９６】
図２２を参照すると、基地局は、アップリンク周波数バンドのリソース割当パターンを設定する（Ｓ６００）。基地局は、段階Ｓ６００で設定されたアップリンク周波数バンドのリソース割当パターンに対する情報を中継局に送信する（Ｓ６１０）。中継局は、段階Ｓ６１０で受信したアップリンク周波数バンドのリソース割当パターンに対する情報に基づいてダウンリンク周波数バンドのリソース割当パターンを設定する（Ｓ６２０）。アップリンク周波数バンドのリソース割当パターン及びダウンリンク周波数バンドのリソース割当パターンに基づき、中継局は、ＡＣＫ／ＮＡＣＫ送信時点を再設定し（Ｓ６３０）、ＡＣＫ／ＮＡＣＫ送信時点に対する情報を端末に知らせる（Ｓ６４０）。ここで、ＡＣＫ／ＮＡＣＫ送信時点は、データ送信時点から４サブフレーム前後のアクセスリンクのために割り当てられたサブフレームであることがある。中継局は、ＰＤＣＣＨまたはＭＡＣ  ＰＤＵ（Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ）を介して前記ＡＣＫ／ＮＡＣＫ送信時点に対する情報を端末に知らせることができる。以後、中継局が端末にダウンリンクデータを送信すると（Ｓ６５０）、段階Ｓ６４０で設定したＡＣＫ／ＮＡＣＫ送信時点に合わせて、中継局は、端末からＡＣＫ／ＮＡＣＫを受信する（Ｓ６６０）。
【００９７】
例えば、図１９で、中継局がダウンリンク周波数バンドのサブフレーム＃０で端末にダウンリンクデータを送信した場合、端末は、アップリンク周波数バンドのサブフレーム＃４で中継局にＡＣＫ／ＮＡＣＫフィードバックをすることができない。アップリンク周波数バンドのサブフレーム＃４は、バックホールリンクのためのサブフレームに設定されているためである。この時、端末は、段階Ｓ６４０で受信したＡＣＫ／ＮＡＣＫ送信時点に対する情報を用いて予め定義された時点より１サブフレーム遅延された時点でＰＵＣＣＨを介してＡＣＫ／ＮＡＣＫをフィードバックすることができる。
【００９８】
このように、図１８及び図１９で、点線で表示されたデータ送信に対するＡＣＫ／ＮＡＣＫは、該当サブフレームの前後サブフレームのうち  ＡＣＫ／ＮＡＣＫ送信の可能なサブフレームを介してフィードバックされるように設定されることができる。付加的に、図２０で奇数番目のフレームまたは偶数番目のフレームのサブフレーム＃５をバックホールリンクのためのサブフレームに設定することもできる。これによって、奇数番目のフレームまたは偶数番目のフレームで中継局に連結された端末は、中継局からの同期信号の受信に制約を受けることができるが、ＨＡＲＱ実行過程におけるエラーを防止することができる。また、中継局に連結された端末に特定フレームで同期信号を受信することができないという趣旨の情報を予めシグナリングすると、同期信号の未送信による問題を防止することができる。
【００９９】
図２３は、本発明の一実施例に係る中継局を含む無線通信システムを示すブロック図である。
【０１００】
図２３を参照すると、無線通信システムは、基地局１００、中継局２００、及び端末３００を含む。基地局１００は、プロセッサ１１０及びＲＦ（Ｒａｄｉｏ  Ｆｒｅｑｕｅｎｃｙ）部１２０を含む。基地局のＲＦ部１２０は、無線信号を送受信し、プロセッサ１１０は、アップリンク周波数バンドのリソース割当パターン及び／またはダウンリンク周波数バンドのリソース割当パターンを設定し、前記アップリンク周波数バンドのリソース割当パターン及び／またはダウンリンク周波数バンドのリソース割当パターンに対する情報を中継局２００に送信するように設定される。中継局２００は、ＲＦ部２２０及びプロセッサ２１０を含む。中継局２００のＲＦ部２２０は、無線信号を送受信し、プロセッサ２１０は、基地局からアップリンク周波数バンドのリソース割当パターン及びダウンリンク周波数バンドのリソース割当パターンのうち少なくとも一つのリソース割当パターンに対する情報を受信し、前記情報に基づいて残りのリソース割当パターンを設定する。端末３００は、ＲＦ部３２０及びプロセッサ３１０を含む。端末３００のＲＦ部３２０は、無線信号を送受信する。端末のプロセッサ３１０は、中継局からアップリンク周波数バンドのリソース割当パターン及び／またはダウンリンク周波数バンドのリソース割当パターンに対する情報を受信し、中継局と通信するように設定される。
【０１０１】
本発明は、ハードウェア、ソフトウェアまたはこれらの組合せにより具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御器、マイクロプロセッサ、他の電子ユニットまたはこれらの組合せにより具現されることができる。ソフトウェア具現において、前述した機能を遂行するモジュールにより具現されることができる。ソフトウェアは、メモリーユニットに格納されることができ、プロセッサにより実行される。メモリーユニットやプロセッサは、当業者によく知られた多様な手段を採用することができる。
【０１０２】
以上、本発明の好ましい実施例に対して詳細に記述したが、本発明の属する技術分野において通常の知識を有する者であれば、特許請求の範囲に定義された本発明の精神及び範囲を外れない限り、本発明を多様に変形または、変更して実施できることが分かる。従って、本発明の今後の実施例の変更は、本発明の技術を外れることができない。
【図１】
2011529318.tif 000005
【図２】
2011529318.tif 000006
【図３】
2011529318.tif 000007
【図４】
2011529318.tif 000008
【図５】
2011529318.tif 000009
【図６】
2011529318.tif 000010
【図７】
2011529318.tif 000011
【図８】
2011529318.tif 000012
【図９】
2011529318.tif 000013
【図１０】
2011529318.tif 000014
【図１１】
2011529318.tif 000015
【図１２】
2011529318.tif 000016
【図１３】
2011529318.tif 000017
【図１４】
2011529318.tif 000018
【図１５】
2011529318.tif 000019
【図１６】
2011529318.tif 000020
【図１７】
2011529318.tif 000021
【図１８】
2011529318.tif 000022
【図１９】
2011529318.tif 000023
【図２０】
2011529318.tif 000024
【図２１】
2011529318.tif 000025
【図２２】
2011529318.tif 000026
【図２３】
2011529318.tif 000027
【手続補正書】
【提出日】平成23年1月26日(2011.1.26)
【手続補正１】
【補正対象書類名】明細書
【補正対象項目名】００１５
【補正方法】変更
【補正の内容】
【００１５】
本発明の一態様による中継局は、プロセッサ、及び前記プロセッサに連結され、無線信号を送受信するＲＦ（Ｒａｄｉｏ  Ｆｒｅｑｕｅｎｃｙ）部を含み、前記プロセッサは、第１の周波数バンドのアクセスリンク及びバックホールリンクのためのリソース割当パターンに対する情報を受信し、前記第１の周波数バンドの前記リソース割当パターンに基づき、第２の周波数バンドのアクセスリンク及びバックホールリンクのためのリソース割当パターンを設定し、前記第１の周波数バンドは、アップリンク周波数バンド及びダウンリンク周波数バンドのうちいずれか一つであり、前記第２の周波数バンドは、前記アップリンク周波数バンド及びダウンリンク周波数バンドのうち残りの一つである。
（項目１）
中継局を含む無線通信システムにおける中継局のリソース割当方法において、
第１の周波数バンドのアクセスリンク及びバックホールリンクのためのリソース割当パターンに対する情報を受信する段階；及び、
前記第１の周波数バンドの前記リソース割当パターンに基づき、第２の周波数バンドのアクセスリンク及びバックホールリンクのためのリソース割当パターンを設定する段階；
を含み、
前記第１の周波数バンドは、アップリンク周波数バンド及びダウンリンク周波数バンドのうちいずれか一つであり、前記第２の周波数バンドは、前記アップリンク周波数バンド及びダウンリンク周波数バンドのうち残りの一つであるリソース割当方法。
（項目２）
前記ダウンリンク周波数バンドで１０サブフレームからなるフレーム毎に少なくとも一対のサブフレームがアクセスリンクのためのサブフレームで割り当てられることを特徴とする項目１に記載のリソース割当方法。
（項目３）
前記一対のサブフレームは、５サブフレームの間隔からなる二つのサブフレームであることを特徴とする項目２に記載のリソース割当方法。
（項目４）
前記第１の周波数バンドのリソース割当パターン及び前記第２の周波数バンドのリソース割当パターンは、１０サブフレームからなるフレーム毎に設定されることを特徴とする項目１に記載のリソース割当方法。
（項目５）
前記第１の周波数バンドのリソース割当パターン及び前記第２の周波数バンドのリソース割当パターンは、ＨＡＲＱ（Ｈｙｂｒｉｄ  Ａｕｔｏｍａｔｉｃ  Ｒｅｑｕｅｓｔ  Ｒｅｐｅａｔ）チャネルの最大個数及び一つのフレームを構成するサブフレームの個数の最小公倍数に該当する４０サブフレーム毎に設定されることを特徴とする項目１に記載のリソース割当方法。
（項目６）
前記第１の周波数バンドのリソース割当パターン及び前記第２の周波数バンドのリソース割当パターンに基づき、データ送信に対するＡＣＫ／ＮＡＣＫ（Ａｃｋｎｏｗｌｅｄｇｅｍｅｎｔ／Ｎｏｔ−Ａｃｋｎｏｗｌｅｄｇｅｍｅｎｔ）フィードバック時点を再設定する段階をさらに含むことを特徴とする項目１に記載のリソース割当方法。
（項目７）
前記ＡＣＫ／ＮＡＣＫフィードバック時点に対する情報を端末に知らせる段階をさらに含むことを特徴とする項目６に記載のリソース割当方法。
（項目８）
中継局を含む無線通信システムにおける基地局のリソース割当方法において、
第１の周波数バンドのアクセスリンク及びバックホールリンクのためのリソース割当パターンに対する情報を受信する段階；及び、
前記第１の周波数バンドの前記リソース割当パターンに基づき、第２の周波数バンドのアクセスリンク及びバックホールリンクのためのリソース割当パターンを設定する段階；
を含み、
前記第１の周波数バンドは、アップリンク周波数バンド及びダウンリンク周波数バンドのうちいずれか一つであり、前記第２の周波数バンドは、前記アップリンク周波数バンド及びダウンリンク周波数バンドのうち残りの一つであるリソース割当方法。
（項目９）
前記第１の周波数バンドのリソース割当パターンに対する情報及び前記第２の周波数バンドのリソース割当パターンに対する情報を前記中継局に送信する段階をさらに含むことを特徴とする項目８に記載のリソース割当方法。
（項目１０）
プロセッサ；及び、
前記プロセッサに連結され、無線信号を送受信するＲＦ（Ｒａｄｉｏ  Ｆｒｅｑｕｅｎｃｙ）部；
を含み、
前記プロセッサは、第１の周波数バンドのアクセスリンク及びバックホールリンクのためのリソース割当パターンに対する情報を受信し、前記第１の周波数バンドの前記リソース割当パターンに基づき、第２の周波数バンドのアクセスリンク及びバックホールリンクのためのリソース割当パターンを設定し、前記第１の周波数バンドは、アップリンク周波数バンド及びダウンリンク周波数バンドのうちいずれか一つであり、前記第２の周波数バンドは、前記アップリンク周波数バンド及びダウンリンク周波数バンドのうち残りの一つである中継局。
【手続補正２】
【補正対象書類名】特許請求の範囲
【補正対象項目名】全文
【補正方法】変更
【補正の内容】
【特許請求の範囲】
【請求項１】
無線通信システムにおける中継局により実行される通信方法において、
基地局から、前記基地局と前記中継局との間の送信に固定された周期を有しながら使われる少なくとも一つのバックホールリンクサブフレームを指示する設定情報を受信する段階；
前記設定情報に基づいて少なくとも一つのサブフレームを設定する段階；及び、
前記設定された少なくとも一つのサブフレームを用いて前記基地局と通信する段階；
を含み、
前記設定された少なくとも一つのサブフレームは、１０個のサブフレームを含む無線フレームで予め定められたサブフレームを除き、前記少なくとも一つのバックホールリンクサブフレームの中から選択されることを特徴とする方法。
【請求項２】
前記予め定められたサブフレームは、前記基地局及び前記中継局がＦＤＤ(ｆｒｅｑｕｅｎｃｙ ｄｉｖｉｓｉｏｎ ｄｕｐｌｅｘ)で動作する場合、無線フレームの１番目、５番目、６番目、及び１０番目のサブフレームであることを特徴とする請求項１に記載の方法。
【請求項３】
端末と連結する段階；及び、
前記１番目、前記５番目、前記６番目、及び前記１０番目のサブフレームから前記端末にデータを送信する段階；
をさらに含むことを特徴とする請求項２に記載の方法。
【請求項４】
前記予め定められたサブフレームは、前記基地局及び前記中継局がＴＤＤ(ｔｉｍｅ ｄｉｖｉｓｉｏｎ ｄｕｐｌｅｘ)で動作する場合、無線フレームの１番目、２番目、６番目、及び７番目のサブフレームであることを特徴とする請求項１に記載の方法。
【請求項５】
前記１番目、前記２番目、前記６番目、及び前記７番目のサブフレームから前記端末にデータを送信する段階をさらに含むことを特徴とする請求項４に記載の方法。
【請求項６】
前記固定された周期は８ｍｓであり、各サブフレームの長さは１ｍｓであることを特徴とする請求項１に記載の方法。
【請求項７】
前記設定情報は、上位階層信号を介して受信されることを特徴とする請求項１に記載の方法。
【請求項８】
前記固定された周期は、ＨＡＲＱ(ｈｙｂｒｉｄ ａｕｔｏｍａｔｉｃ ｒｅｐｅａｔ ｒｅｑｕｅｓｔ)往復時間(ｒｏｕｎｄ ｔｒｉｐ ｔｉｍｅ；ＲＴＴ)と関連づけられていることを特徴とする請求項１に記載の方法。
【請求項９】
前記設定情報は、前記少なくとも一つのバックホールリンクサブフレームを指示するビットマップを含むことを特徴とする請求項１に記載の方法。
【請求項１０】
前記ビットマップは、８ビットで構成されることを特徴とする請求項９に記載の方法。
【請求項１１】
無線信号を送受信するＲＦ(ｒａｄｉｏ ｆｒｅｑｕｅｎｃｙ)ユニット；及び、
前記ＲＦユニットと結合されるプロセッサ；を含み、
前記プロセッサは、
基地局から、前記基地局と前記中継局との間の送信に固定された周期を有しながら使われる少なくとも一つのバックホールリンクサブフレームを指示する設定情報を受信し、
前記設定情報に基づいて少なくとも一つのサブフレームを設定し、
前記設定された少なくとも一つのサブフレームを用いて前記基地局と通信し、
前記設定された少なくとも一つのサブフレームは、１０個のサブフレームを含む無線フレームで予め定められたサブフレームを除き、前記少なくとも一つのバックホールリンクサブフレームの中から選択されることを特徴とする中継局。
【請求項１２】
前記予め定められたサブフレームは、前記基地局及び前記中継局がＦＤＤ(ｆｒｅｑｕｅｎｃｙ ｄｉｖｉｓｉｏｎ ｄｕｐｌｅｘ)で動作する場合、無線フレームの１番目、５番目、６番目、及び１０番目のサブフレームであることを特徴とする請求項１１に記載の中継局。
【請求項１３】
前記プロセッサは、前記１番目、前記５番目、前記６番目、及び前記１０番目のサブフレームから前記端末にデータを送信することを特徴とする請求項１２に記載の中継局。
【請求項１４】
前記予め定められたサブフレームは、前記基地局及び前記中継局がＴＤＤ(ｔｉｍｅ ｄｉｖｉｓｉｏｎ ｄｕｐｌｅｘ)で動作する場合、無線フレームの１番目、２番目、６番目、及び７番目のサブフレームであることを特徴とする請求項１１に記載の中継局。
【請求項１５】
前記プロセッサは、前記１番目、前記２番目、前記６番目、及び前記７番目のサブフレームから前記端末にデータを送信することを特徴とする請求項１４に記載の中継局。
【請求項１６】
前記固定された周期は８ｍｓであり、各サブフレームの長さは１ｍｓであることを特徴とする請求項１１に記載の中継局。
【請求項１７】
前記設定情報は、上位階層信号を介して受信されることを特徴とする請求項１１に記載の中継局。
【請求項１８】
前記固定された周期は、ＨＡＲＱ(ｈｙｂｒｉｄ ａｕｔｏｍａｔｉｃ ｒｅｐｅａｔ ｒｅｑｕｅｓｔ)往復時間(ｒｏｕｎｄ ｔｒｉｐ ｔｉｍｅ；ＲＴＴ)と関連づけられていることを特徴とする請求項１１に記載の中継局。
【請求項１９】
前記設定情報は、前記少なくとも一つのバックホールリンクサブフレームを指示するビットマップを含むことを特徴とする請求項１１に記載の中継局。
【請求項２０】
前記ビットマップは、８ビットで構成されることを特徴とする請求項１９に記載の中継局。
【国際調査報告】
2011529318.tif 000028
2011529318.tif 000029
2011529318.tif 000030
2011529318.tif 000031